(57)【要約】機器情報取得部（３０１）は、制御装置から電気機器毎の機器情報を取得する。機器情報表示部（３０２）は、機器情報取得部（３０１）により取得された電気機器毎の機器情報に基づいて、電気機器毎に識別子と想定設置位置と機器状態とを対応付けて画面に表示する。機器情報取得部（３０１）は、注目電気機器の想定設置位置に設置された電気機器がユーザにより操作された後に、制御装置により新たに収集された、注目電気機器の機器状態情報を、制御装置から取得する。機器情報表示部（３０２）は、機器情報取得部（３０１）により取得された注目電気機器の機器状態情報に基づいて、注目電気機器の機器状態がユーザによる操作により変化したか否かを画面において明示する。
2015071999.tif 000002
【特許請求の範囲】
【請求項１】
電気機器の機器状態を示す機器状態情報を各電気機器から収集し、電気機器を特定する識別子を示す情報と電気機器が設置された位置であると想定される想定設置位置を示す情報と収集した機器状態情報とを含む電気機器毎の機器情報を記憶する制御装置から、電気機器毎の機器情報を取得する機器情報取得手段と、
前記機器情報取得手段により取得された電気機器毎の機器情報に基づいて、電気機器毎に識別子と想定設置位置と機器状態とを対応付けて画面に表示する機器情報表示手段と、を備え、
前記機器情報取得手段は、前記機器情報表示手段により前記画面に表示された識別子のうち、ユーザが注目する識別子に対応付けられて前記画面に表示された想定設置位置に設置された電気機器が前記ユーザにより操作された後に、前記制御装置により新たに収集された、前記ユーザが注目する識別子により特定される電気機器である注目電気機器の機器状態情報を、前記制御装置から取得し、
前記機器情報表示手段は、前記機器情報取得手段により取得された前記注目電気機器の機器状態情報に基づいて、前記注目電気機器の機器状態が前記ユーザによる操作により変化したか否かを前記画面において明示する、
端末装置。
【請求項２】
前記ユーザによる操作の後、前記注目電気機器の機器状態情報の取得指示を受け付ける取得指示受付手段と、
前記取得指示受付手段により取得指示が受け付けられたことに応答して、前記注目電気機器の機器状態情報の取得要求を、前記制御装置に送信する取得要求送信手段と、をさらに備え、
前記機器情報取得手段は、前記制御装置が前記取得要求送信手段により送信された取得要求に応答して、前記注目電気機器から新たに収集した機器状態情報を、前記制御装置から取得し、
前記機器情報表示手段は、前記取得指示受付手段により取得指示が受け付けられる前後で、前記注目電気機器の機器状態が変化したか否かを、前記画面における前記注目電気機器の機器情報が表示される領域において明示する、
請求項１に記載の端末装置。
【請求項３】
前記ユーザによる操作の後、各電気機器の機器状態情報の取得指示を受け付ける取得指示受付手段と、
前記取得指示受付手段により取得指示が受け付けられたことに応答して、各電気機器の機器状態情報の取得要求を、前記制御装置に送信する取得要求送信手段と、をさらに備え、
前記機器情報取得手段は、前記制御装置が前記取得要求送信手段により送信された取得要求に応答して、各電気機器から新たに収集した機器状態情報を、前記制御装置から取得し、
前記機器情報表示手段は、前記取得指示受付手段により取得指示が受け付けられる前後で機器状態が変化した電気機器の機器情報が表示される領域を、前記画面において明示する、
請求項１に記載の端末装置。
【請求項４】
前記機器情報取得手段は、前記制御装置が定期的に各電気機器から収集する機器状態情報を、前記制御装置から定期的に取得し、
前記機器情報表示手段は、前記機器情報取得手段により定期的に取得される機器状態情報により示される機器状態が変化した電気機器の機器情報が表示される領域を、前記画面において明示する、
請求項１に記載の端末装置。
【請求項５】
制御コマンドにより各電気機器を制御し、電気機器を特定する識別子を示す情報と電気機器が設置された位置であると想定される想定設置位置を示す情報と前記制御コマンドを示す制御コマンド情報とを含む電気機器毎の機器情報を記憶する制御装置から、電気機器毎の機器情報を取得する機器情報取得手段と、
前記機器情報取得手段により取得された電気機器毎の機器情報に基づいて、電気機器毎に識別子と想定設置位置と設置位置確認指示ボタンとを対応付けて画面に表示する機器情報表示手段と、
前記機器情報表示手段により電気機器毎に前記画面に表示された設置位置確認指示ボタンに対する押圧操作を検知する操作検知手段と、
前記操作検知手段により押圧操作が検知された設置位置確認指示ボタンに対応付けて前記画面に表示された識別子により特定される電気機器を特定する電気機器特定手段と、
前記機器情報取得手段により取得された電気機器毎の機器情報に基づいて、前記電気機器特定手段により特定された電気機器に対する制御コマンドのうち、機器状態の変化が視覚的又は聴覚的に明確である制御コマンドを選択する制御コマンド選択手段と、
前記電気機器特定手段により特定された電気機器に対する、前記制御コマンド選択手段により選択された制御コマンドの送信指示を、前記制御装置に送信する送信指示送信手段と、を備える、
端末装置。
【請求項６】
制御装置を介して端末装置により制御又は監視される電気機器を前記制御装置に登録する旨の登録指示を、前記電気機器から受信する登録指示受信手段と、
前記登録指示受信手段により登録指示が受信されたことに応答して、前記制御装置に対して前記電気機器を登録する機器登録手段と、
前記電気機器が設置された位置を示す設置位置情報を取得する設置位置情報取得手段と、
前記設置位置情報取得手段により取得された設置位置情報を記憶する設置位置情報記憶手段と、
前記機器登録手段により前記制御装置に対して前記電気機器が登録され、前記設置位置情報記憶手段に設置位置情報が記憶された後、前記電気機器から機器情報を受信し、又は、前記電気機器に制御コマンドを送信する通信手段と、を備える、
制御装置。
【請求項７】
端末装置と制御装置と１つ以上の電気機器とを備える設置位置確認支援システムであって、
前記制御装置は、
電気機器の機器状態を示す機器状態情報を各電気機器から収集し、電気機器を特定する識別子を示す情報と電気機器が設置された位置であると想定される想定設置位置を示す情報と収集した機器状態情報とを含む電気機器毎の機器情報を記憶し、
前記端末装置は、
前記制御装置から、電気機器毎の機器情報を取得する機器情報取得手段と、
前記機器情報取得手段により取得された電気機器毎の機器情報に基づいて、電気機器毎に識別子と想定設置位置と機器状態とを対応付けて画面に表示する機器情報表示手段と、を備え、
前記機器情報取得手段は、前記機器情報表示手段により前記画面に表示された識別子のうち、ユーザが注目する識別子に対応付けられて前記画面に表示された想定設置位置に設置された電気機器が前記ユーザにより操作された後に、前記制御装置により新たに収集された、前記ユーザが注目する識別子により特定される電気機器である注目電気機器の機器状態情報を、前記制御装置から取得し、
前記機器情報表示手段は、前記機器情報取得手段により取得された前記注目電気機器の機器状態情報に基づいて、前記注目電気機器の機器状態が前記ユーザによる操作により変化したか否かを前記画面において明示する、
設置位置確認支援システム。
【請求項８】
端末装置と制御装置と１つ以上の電気機器とを備える設置位置確認支援システムであって、
前記制御装置は、
制御コマンドにより各電気機器を制御し、電気機器を特定する識別子を示す情報と電気機器が設置された位置であると想定される想定設置位置を示す情報と前記制御コマンドを示す制御コマンド情報とを含む電気機器毎の機器情報を記憶し、
前記端末装置は、
前記制御装置から、電気機器毎の機器情報を取得する機器情報取得手段と、
前記機器情報取得手段により取得された電気機器毎の機器情報に基づいて、電気機器毎に識別子と想定設置位置と設置位置確認指示ボタンとを対応付けて画面に表示する機器情報表示手段と、
前記機器情報表示手段により電気機器毎に前記画面に表示された設置位置確認指示ボタンに対する押圧操作を検知する操作検知手段と、
前記操作検知手段により押圧操作が検知された設置位置確認指示ボタンに対応付けて前記画面に表示された識別子により特定される電気機器を特定する電気機器特定手段と、
前記機器情報取得手段により取得された電気機器毎の機器情報に基づいて、前記電気機器特定手段により特定された電気機器に対する制御コマンドのうち、機器状態の変化が視覚的又は聴覚的に明確である制御コマンドを選択する制御コマンド選択手段と、
前記電気機器特定手段により特定された電気機器に対する、前記制御コマンド選択手段により選択された制御コマンドの送信指示を、前記制御装置に送信する送信指示送信手段と、を備える、
設置位置確認支援システム。
【請求項９】
端末装置と制御装置と前記制御装置を介して前記端末装置により制御又は監視される電気機器とを備える設置位置設定支援システムであって、
前記制御装置は、
前記電気機器を前記制御装置に登録する旨の登録指示を、前記電気機器から受信する登録指示受信手段と、
前記登録指示受信手段により登録指示が受信されたことに応答して、前記制御装置に対して前記電気機器を登録する機器登録手段と、
前記電気機器が設置された位置を示す設置位置情報を取得する設置位置情報取得手段と、
前記設置位置情報取得手段により取得された設置位置情報を記憶する設置位置情報記憶手段と、
前記機器登録手段により前記制御装置に対して前記電気機器が登録され、前記設置位置情報記憶手段に設置位置情報が記憶された後、前記電気機器から機器情報を受信し、又は、前記電気機器に制御コマンドを送信する通信手段と、を備える、
設置位置設定支援システム。
【請求項１０】
電気機器の機器状態を示す機器状態情報を各電気機器から収集し、電気機器を特定する識別子を示す情報と電気機器が設置された位置であると想定される想定設置位置を示す情報と収集した機器状態情報とを含む電気機器毎の機器情報を記憶する制御装置から、電気機器毎の機器情報を取得する機器情報取得ステップと、
前記機器情報取得ステップで取得された電気機器毎の機器情報に基づいて、電気機器毎に識別子と想定設置位置と機器状態とを対応付けて画面に表示する機器情報表示ステップと、を備え、
前記機器情報取得ステップでは、前記機器情報表示ステップで前記画面に表示された識別子のうち、ユーザが注目する識別子に対応付けられて前記画面に表示された想定設置位置に設置された電気機器が前記ユーザにより操作された後に、前記制御装置により新たに収集された、前記ユーザが注目する識別子により特定される電気機器である注目電気機器の機器状態情報を、前記制御装置から取得し、
前記機器情報表示ステップでは、前記機器情報取得ステップで取得された前記注目電気機器の機器状態情報に基づいて、前記注目電気機器の機器状態が前記ユーザによる操作により変化したか否かを前記画面において明示する、
設置位置確認支援方法。
【請求項１１】
制御コマンドにより各電気機器を制御し、電気機器を特定する識別子を示す情報と電気機器が設置された位置であると想定される想定設置位置を示す情報と前記制御コマンドを示す制御コマンド情報とを含む電気機器毎の機器情報を記憶する制御装置から、電気機器毎の機器情報を取得する機器情報取得ステップと、
前記機器情報取得ステップで取得された電気機器毎の機器情報に基づいて、電気機器毎に識別子と想定設置位置と設置位置確認指示ボタンとを対応付けて画面に表示する機器情報表示ステップと、
前記機器情報表示ステップで電気機器毎に前記画面に表示された設置位置確認指示ボタンに対する押圧操作を検知する操作検知ステップと、
前記操作検知ステップで押圧操作が検知された設置位置確認指示ボタンに対応付けて前記画面に表示された識別子により特定される電気機器を特定する電気機器特定ステップと、
前記機器情報取得ステップで取得された電気機器毎の機器情報に基づいて、前記電気機器特定ステップで特定された電気機器に対する制御コマンドのうち、機器状態の変化が視覚的又は聴覚的に明確である制御コマンドを選択する制御コマンド選択ステップと、
前記電気機器特定ステップで特定された電気機器に対する、前記制御コマンド選択ステップで選択された制御コマンドの送信指示を、前記制御装置に送信する送信指示送信ステップと、を備える、
設置位置確認支援方法。
【請求項１２】
制御装置を介して端末装置により制御又は監視される電気機器を前記制御装置に登録する旨の登録指示を、前記電気機器から受信する登録指示受信ステップと、
前記登録指示受信ステップで登録指示が受信されたことに応答して、前記制御装置に対して前記電気機器を登録する機器登録ステップと、
前記電気機器が設置された位置を示す設置位置情報を取得する設置位置情報取得ステップと、
前記設置位置情報取得ステップで取得された設置位置情報を記憶する設置位置情報記憶ステップと、
前記機器登録ステップで前記制御装置に対して前記電気機器が登録され、前記設置位置情報記憶ステップで設置位置情報が記憶された後、前記電気機器から機器情報を受信し、又は、前記電気機器に制御コマンドを送信する通信ステップと、を備える、
設置位置設定支援方法。
【請求項１３】
端末装置が備えるコンピュータを、
電気機器の機器状態を示す機器状態情報を各電気機器から収集し、電気機器を特定する識別子を示す情報と電気機器が設置された位置であると想定される想定設置位置を示す情報と収集した機器状態情報とを含む電気機器毎の機器情報を記憶する制御装置から、電気機器毎の機器情報を取得する機器情報取得手段、
前記機器情報取得手段により取得された電気機器毎の機器情報に基づいて、電気機器毎に識別子と想定設置位置と機器状態とを対応付けて画面に表示する機器情報表示手段、として機能させるプログラムであって、
前記機器情報取得手段は、前記機器情報表示手段により前記画面に表示された識別子のうち、ユーザが注目する識別子に対応付けられて前記画面に表示された想定設置位置に設置された電気機器が前記ユーザにより操作された後に、前記制御装置により新たに収集された、前記ユーザが注目する識別子により特定される電気機器である注目電気機器の機器状態情報を、前記制御装置から取得し、
前記機器情報表示手段は、前記機器情報取得手段により取得された前記注目電気機器の機器状態情報に基づいて、前記注目電気機器の機器状態が前記ユーザによる操作により変化したか否かを前記画面において明示する、
プログラム。
【請求項１４】
端末装置が備えるコンピュータを、
制御コマンドにより各電気機器を制御し、電気機器を特定する識別子を示す情報と電気機器が設置された位置であると想定される想定設置位置を示す情報と前記制御コマンドを示す制御コマンド情報とを含む電気機器毎の機器情報を記憶する制御装置から、電気機器毎の機器情報を取得する機器情報取得手段、
前記機器情報取得手段により取得された電気機器毎の機器情報に基づいて、電気機器毎に識別子と想定設置位置と設置位置確認指示ボタンとを対応付けて画面に表示する機器情報表示手段、
前記機器情報表示手段により電気機器毎に前記画面に表示された設置位置確認指示ボタンに対する押圧操作を検知する操作検知手段、
前記操作検知手段により押圧操作が検知された設置位置確認指示ボタンに対応付けて前記画面に表示された識別子により特定される電気機器を特定する電気機器特定手段、
前記機器情報取得手段により取得された電気機器毎の機器情報に基づいて、前記電気機器特定手段により特定された電気機器に対する制御コマンドのうち、機器状態の変化が視覚的又は聴覚的に明確である制御コマンドを選択する制御コマンド選択手段、
前記電気機器特定手段により特定された電気機器に対する、前記制御コマンド選択手段により選択された制御コマンドの送信指示を、前記制御装置に送信する送信指示送信手段、として機能させる、
プログラム。
【請求項１５】
制御装置が備えるコンピュータを、
前記制御装置を介して端末装置により制御又は監視される電気機器を前記制御装置に登録する旨の登録指示を、前記電気機器から受信する登録指示受信手段、
前記登録指示受信手段により登録指示が受信されたことに応答して、前記制御装置に対して前記電気機器を登録する機器登録手段、
前記電気機器が設置された位置を示す設置位置情報を取得する設置位置情報取得手段、
前記設置位置情報取得手段により取得された設置位置情報を記憶する設置位置情報記憶手段、
前記機器登録手段により前記制御装置に対して前記電気機器が登録され、前記設置位置情報記憶手段に設置位置情報が記憶された後、前記電気機器から機器情報を受信し、又は、前記電気機器に制御コマンドを送信する通信手段、として機能させる、
プログラム。
【発明の詳細な説明】
【技術分野】
【０００１】
本発明は、電気機器が設置された位置を適切に制御装置に設定することを支援することが可能な端末装置、制御装置、設置位置確認支援システム、設置位置設定支援システム、設置位置確認支援方法、設置位置設定支援方法、及び、プログラムに関する。
【背景技術】
【０００２】
現在、ゲートウェイなどの制御装置を用いて、家庭内に存在する電気機器を、制御したり監視（モニタリング）したりするホームネットワークシステムが知られている。このようなホームネットワークシステムによれば、ユーザは、制御装置又は制御装置に接続された端末装置などを用いて、電気機器を制御したり監視したりすることができる。【０００３】
ここで、利便性を向上させるため、電気機器が設置された位置を示す設置位置情報を制御装置などに記憶させ、記憶された設置位置情報を種々の制御に利用する技術が知られている。例えば、特許文献１には、場所情報記憶手段に記憶された各機器の設置場所情報を機器制御に用いる設備制御システムが開示されている。
【先行技術文献】
【特許文献】
【０００４】
【特許文献１】特開２０１１−５５１２１号公報
【発明の概要】
【発明が解決しようとする課題】
【０００５】
特許文献１に開示された設備制御システムなどにおいて、場所情報記憶手段に記憶された各機器の設置場所情報が誤った情報である場合、機器制御が正しく実行されないことになる。しかしながら、特許文献１に開示された設備制御システムは、場所情報記憶手段に記憶された各機器の設置場所情報が正しい情報であることを前提とした技術である。従って、特許文献１には、設置場所情報が適切に設定されるようにする手法について全く開示されていない。このため、電気機器が設置された位置を適切に制御装置に設定することを支援することが可能な技術が望まれている。【０００６】
本発明は、上記問題に鑑みてなされたものであり、電気機器が設置された位置を適切に制御装置に設定することを支援することが可能な端末装置、制御装置、設置位置確認支援システム、設置位置設定支援システム、設置位置確認支援方法、設置位置設定支援方法、及び、プログラムを提供することを目的とする。
【課題を解決するための手段】
【０００７】
上記目的を達成するために、本発明に係る端末装置は、
電気機器の機器状態を示す機器状態情報を各電気機器から収集し、電気機器を特定する識別子を示す情報と電気機器が設置された位置であると想定される想定設置位置を示す情報と収集した機器状態情報とを含む電気機器毎の機器情報を記憶する制御装置から、電気機器毎の機器情報を取得する機器情報取得手段と、
前記機器情報取得手段により取得された電気機器毎の機器情報に基づいて、電気機器毎に識別子と想定設置位置と機器状態とを対応付けて画面に表示する機器情報表示手段と、を備え、
前記機器情報取得手段は、前記機器情報表示手段により前記画面に表示された識別子のうち、ユーザが注目する識別子に対応付けられて前記画面に表示された想定設置位置に設置された電気機器が前記ユーザにより操作された後に、前記制御装置により新たに収集された、前記ユーザが注目する識別子により特定される電気機器である注目電気機器の機器状態情報を、前記制御装置から取得し、
前記機器情報表示手段は、前記機器情報取得手段により取得された前記注目電気機器の機器状態情報に基づいて、前記注目電気機器の機器状態が前記ユーザによる操作により変化したか否かを前記画面において明示する。
【発明の効果】
【０００８】
本発明によれば、電気機器が設置された位置を適切に制御装置に設定することを支援することができる。
【図面の簡単な説明】
【０００９】
【図１】本発明の第１の実施形態に係る設置位置確認支援システムの概要を説明するための図である。
【図２】本発明の第１の実施形態に係る制御装置の構成を示すブロック図である。
【図３】本発明の第１の実施形態に係る電気機器の構成を示すブロック図である。
【図４】本発明の第１の実施形態に係る端末装置の構成を示すブロック図である。
【図５】本発明の第１の実施形態に係る端末装置の機能を説明するための図である。
【図６】更新ボタンが表示された設置位置確認画面を示す図である。
【図７】個別更新ボタンが押された後の設置位置確認画面を示す図である。
【図８】一括更新ボタンが押された後の設置位置確認画面を示す図である。
【図９】本発明の第１の実施形態に係る端末装置が実行する設置位置確認支援処理を示すフローチャートである。
【図１０】本発明の第１の実施形態の変形例に係る端末装置が実行する設置位置確認支援処理を示すフローチャートである。
【図１１】本発明の第２の実施形態に係る端末装置の機能を説明するための図である。
【図１２】設置位置確認ボタンが表示された設置位置確認画面を示す図である。
【図１３】本発明の第２の実施形態に係る端末装置が実行する設置位置確認支援処理を示すフローチャートである。
【図１４】本発明の第３の実施形態に係る制御装置の機能を説明するための図である。
【図１５】本発明の第３の実施形態に係る制御装置が実行する設置位置設定支援処理を示すフローチャートである。
【発明を実施するための形態】
【００１０】
以下、本発明の実施形態を、図面を参照して説明する。
【００１１】
（第１の実施形態）
まず、本発明の第１の実施形態に係る設置位置確認支援システム１０００について説明する。設置位置確認支援システム１０００は、例えば、制御装置１００から宅内に設置された電気機器２１０、２２０、２３０を制御又は監視（モニタリング）するホームネットワークシステムに適用することができる。ここで、設置位置確認支援システム１０００は、ユーザが端末装置３００を使用して、制御装置１００に設定（登録）されている、電気機器２１０などの設置位置が正しいか否かを確認することを支援するシステムである。
【００１２】
一方、ユーザは、対象となる電気機器の設置位置として制御装置１００に設定された設置位置（想定される設置位置）に設置された電気機器を操作し、端末装置３００が備える画面に表示された、対象となる電気機器の機器状態が変化するか否かを判別する。そして、ユーザは、対象となる電気機器の機器状態が画面上において変化した場合は設置位置が正しいと判別し、対象となる電気機器の機器状態が画面上において変化しない場合は設置位置が正しくないと判別することができる。
【００１３】
なお、ユーザは、登録されている設置位置が正しくないことを発見した場合、制御装置１００や端末装置３００を用いて、正しい設置位置を制御装置１００に設定することができる。
【００１４】
図１に示すように、設置位置確認支援システム１０００は、電気機器２１０などを制御又は監視する制御装置１００と、制御又は監視の対象となる電気機器２１０、２２０、２３０と、制御装置１００を操作する端末装置３００と、設置位置確認支援システム１０００が備える各装置を相互に接続する宅内電気通信網４００と、を備える。
【００１５】
制御装置１００は、ユーザによる指示、端末装置３００からの指示、自動プログラムなどに従って、宅内電気通信網４００を介して、電気機器２１０、２２０、２３０などを制御又は監視する。従って、制御装置１００は、宅内電気通信網４００に接続するためのインターフェースを備える。また、制御装置１００は、電気機器２１０、２２０、２３０のそれぞれが、宅内のどこに設置されているのかを管理する。
【００１６】
なお、制御装置１００が電気機器２１０、２２０、２３０のそれぞれの設置位置を管理する手法は、適宜調整することができる。例えば、制御装置１００は、電気機器２１０、２２０、２３０のそれぞれの設置位置の入力を受け付ける画面をタッチスクリーン１６に表示し、ユーザからこれらの設置位置の入力を受け付けることができる。もしくは、制御装置１００は、端末装置３００などから、これらの設置位置を示す情報（以下、適宜「設置位置情報」という。）を受信してもよい。そして、制御装置１００は、これらの設置位置情報を、電気機器２１０、２２０、２３０のそれぞれの識別子を示す情報（以下、適宜「識別子情報」という。）と対応付けて、フラッシュメモリ１４に記憶する。
【００１７】
なお、ユーザなどにより入力された設置位置は、必ずしも正しいものとはいえず、ときには誤ったものである場合がある。そこで、設置位置確認支援システム１０００は、制御装置１００により管理されている設置位置が正しいか否かをユーザが確認することを支援する。
【００１８】
電気機器２１０、２２０、２３０のそれぞれは、制御又は監視の対象となる機器であり、例えば、ユーザの宅内に設置される。電気機器２１０、２２０、２３０のそれぞれは、宅内電気通信網４００を介して、制御装置１００と通信する。従って、電気機器２１０、２２０、２３０のそれぞれは、宅内電気通信網４００に接続するためのインターフェースを備える。電気機器２１０、２２０、２３０のそれぞれは、基本的に、制御装置１００から受信した要求フレームの内容に従った処理を実行し、要求フレームに対する応答フレームを制御装置１００に送信する。
【００１９】
電気機器２１０、２２０、２３０のそれぞれは、例えば、エアコン、給湯器、電気ストーブ、炊飯器、照明装置、電気カーペットである。本実施形態では、電気機器２１０は、リビングに設置されたエアコン（エアコン１）であり、電気機器２２０は、書斎に設置されたエアコン（エアコン２）であり、電気機器２３０は、寝室に設置されたエアコン（エアコン３）であるものとする。なお、このように、宅内に同じ種類の電気機器が複数個存在する場合、ユーザが電気機器の識別を誤り、正しくない設置位置が制御装置１００に登録される可能性が高いと考えられる。
【００２０】
端末装置３００は、制御装置１００のインターフェースとしての機能を有する。従って、端末装置３００は、宅内電気通信網４００に接続する機能を有し、宅内電気通信網４００を介して、制御装置１００と通信する。端末装置３００は、例えば、ユーザからの指示に従って、遠隔制御のための制御信号を、制御装置１００に送信することにより、電気機器２１０、２２０、２３０を遠隔制御する。また、端末装置３００は、制御装置１００を介して、電気機器２１０、２２０、２３０など動作状態を監視する。本実施形態では、端末装置３００は、制御装置１００に設定されている設置位置をユーザが確認することを支援するツールとして機能する。端末装置３００は、例えば、スマートフォン、携帯電話、タブレット端末である。
【００２１】
宅内電気通信網４００は、宅内に構築された無線ＬＡＮ（Local Area Network）などの電気通信網である。宅内電気通信網４００は、制御装置１００と、電気機器２１０と、電気機器２２０と、電気機器２３０と、端末装置３００と、を相互に接続する。なお、端末装置３００は、宅内電気通信網４００を介してではなく、宅外に構築されたインターネットなどの電気通信網を介して、制御装置１００と接続されてもよい。
【００２２】
次に、図２を参照して、制御装置１００の物理的な構成について説明する。図２に示すように、制御装置１００は、制御装置１００の全体の動作を制御するＣＰＵ（Central Processing Unit）１１、ＣＰＵ１１により実行されるプログラムなどを記憶するＲＯＭ（Read Only Memory）１２、ＣＰＵ１１のワークエリアとして機能するＲＡＭ（Random Access Memory）１３、各種の情報を記憶するフラッシュメモリ１４、計時用のデバイスであるＲＴＣ（Real Time Clock）１５、制御装置１００のユーザインターフェースとして機能するタッチスクリーン１６、制御装置１００を宅内電気通信網４００に接続する宅内電気通信網インターフェース１７を備える。制御装置１００が備える各構成要素は、バスを介して相互に接続される。
【００２３】
ＣＰＵ１１は、制御装置１００の全体の動作を制御する。なお、ＣＰＵ１１は、ＲＯＭ１２に格納されているプログラムに従って動作し、ＲＡＭ１３をワークエリアとして使用する。
【００２４】
ＲＯＭ１２には、制御装置１００の全体の動作を制御するためのプログラムやデータが記憶される。
【００２５】
ＲＡＭ１３は、ＣＰＵ１１のワークエリアとして機能する。つまり、ＣＰＵ１１は、ＲＡＭ１３にプログラムやデータを一時的に書き込み、これらのプログラムやデータを適宜参照する。
【００２６】
フラッシュメモリ１４は、各種の情報を記憶する不揮発性メモリである。なお、制御装置１００は、フラッシュメモリ１４に代えて、ハードディスクなどを備えていてもよい。また、制御装置１００は、宅内電気通信網４００に接続された端末装置３００、宅内電気通信網４００に接続された図示しない記憶装置に、各種の情報を記憶してもよい。
【００２７】
ＲＴＣ１５は、計時用のデバイスである。ＲＴＣ１５は、例えば、電池を内蔵し、制御装置１００の電源がオフの間も計時を継続する。ＲＴＣ１５は、例えば、水晶発振子を備える発振回路を備える。
【００２８】
タッチスクリーン１６は、ユーザによりなされたタッチ操作を検知し、検知の結果を示す信号をＣＰＵ１１に供給する。また、タッチスクリーン１６は、ＣＰＵ１１などから供給された画像信号に基づく画像を表示する。このように、タッチスクリーン１６は、制御装置１００のユーザインターフェースとして機能する。
【００２９】
宅内電気通信網インターフェース１７は、制御装置１００を宅内電気通信網４００に接続する。宅内電気通信網インターフェース１７は、ＣＰＵ１１による制御に従って、電気機器２１０、２２０、２３０や端末装置３００と通信する。宅内電気通信網インターフェース１７は、例えば、ＮＩＣ（Network Interface Card）などのＬＡＮインターフェースを備える。
【００３０】
次に、図３を参照して、電気機器２１０の物理的な構成について説明する。図３に示すように、電気機器２１０は、電気機器２１０の全体の動作を制御するＣＰＵ２１、ＣＰＵ２１により実行されるプログラムなどを記憶するＲＯＭ２２、ＣＰＵ２１のワークエリアとして機能するＲＡＭ２３、各種の情報を記憶するフラッシュメモリ２４、計時用のデバイスであるＲＴＣ２５、電気機器２１０のユーザインターフェースとして機能するタッチスクリーン２６、電気機器２１０を宅内電気通信網４００に接続する宅内電気通信網インターフェース２７、電気機器２１０の機能に応じた処理を実行する処理実行装置２８を備える。電気機器２１０が備える各構成要素は、バスを介して相互に接続される。電気機器２１０が備える構成のうち、処理実行装置２８以外の構成は、基本的に、制御装置１００が備える構成と同様であるため、説明を省略する。
【００３１】
処理実行装置２８は、電気機器２１０の機能に応じた処理を実行する。例えば、電気機器２１０がエアコンである場合、処理実行装置２８は、空調処理（温度設定処理、冷房処理、暖房処理、除湿処理、送風処理など）を実行する。例えば、電気機器２１０が照明装置である場合、処理実行装置２８は、照明の点灯処理や照明の消灯処理を実行する。処理実行装置２８は、例えば、制御装置１００から供給された要求フレームの内容に従った処理を実行する。また、例えば、処理実行装置２８による処理の結果を含む応答フレームが、制御装置１００に供給される。なお、基本的に、処理実行装置２８による処理が実行されると、電気機器２１０の機器状態が変化する。
【００３２】
なお、電気機器２２０や電気機器２３０は、基本的に、電気機器２１０と同様の構成を備えることができる。ただし、電気機器２２０が備える処理実行装置２８は、電気機器２２０の機能に応じた処理を実行し、電気機器２３０が備える処理実行装置２８は、電気機器２３０の機能に応じた処理を実行する。
【００３３】
次に、図４を参照して、端末装置３００の物理的な構成について説明する。図４に示すように、端末装置３００は、端末装置３００の全体の動作を制御するＣＰＵ３１、ＣＰＵ３１により実行されるプログラムなどを記憶するＲＯＭ３２、ＣＰＵ３１のワークエリアとして機能するＲＡＭ３３、各種の情報を記憶するフラッシュメモリ３４、計時用のデバイスであるＲＴＣ３５、端末装置３００のユーザインターフェースとして機能するタッチスクリーン３６、端末装置３００を宅内電気通信網４００に接続する宅内電気通信網インターフェース３７を備える。端末装置３００が備える各構成要素は、バスを介して相互に接続される。端末装置３００が備える構成は、基本的に、制御装置１００が備える構成と同様であるため、説明を省略する。
【００３４】
次に、図５を参照して、端末装置３００の基本的な機能について説明する。端末装置３００は、機能的には、機器情報を取得する機器情報取得部３０１と、機器情報を表示する機器情報表示部３０２と、取得指示を受け付ける取得指示受付部３０３と、取得要求を送信する取得要求送信部３０４と、を備える。
【００３５】
機器情報取得部３０１は、制御装置１００から、電気機器毎の機器情報を取得する。なお、制御装置１００は、電気機器の機器状態を示す機器状態情報を各電気機器から収集する。また、制御装置１００は、電気機器を特定する識別子を示す情報と、電気機器が設置された位置であると想定される想定設置位置を示す情報と、収集した機器状態情報とを含む電気機器毎の機器情報を記憶する。例えば、制御装置１００は、電気機器毎の機器情報をフラッシュメモリ１４に記憶する。機器情報取得部３０１は、例えば、ＣＰＵ３１と宅内電気通信網インターフェース３７とを備える。
【００３６】
機器情報表示部３０２は、機器情報取得部３０１により取得された電気機器毎の機器情報に基づいて、電気機器毎に識別子と想定設置位置と機器状態とを対応付けて画面に表示する。機器情報表示部３０２は、例えば、ＣＰＵ３１とタッチスクリーン３６とを備える。
【００３７】
ここで、機器情報取得部３０１は、操作対象の電気機器がユーザにより操作された後に、制御装置１００により新たに収集された、ユーザが注目する識別子により特定される電気機器である注目電気機器の機器状態情報を、制御装置１００から取得する。なお、操作対象の電気機器は、機器情報表示部３０２により画面に表示された識別子のうち、ユーザが注目する識別子に対応付けられて画面に表示された想定設置位置に設置された電気機器である。
【００３８】
なお、例えば、１つの部屋（１つの設置位置）に同一の種類の電気機器が存在しない場合、注目電気機器の想定設置位置が正しいと、注目電気機器が操作対象の電気機器になると考えられる。一方、１つの部屋（１つの設置位置）に同一の種類の電気機器が存在しない場合でも、注目電気機器の想定設置位置が誤っていると、注目電気機器以外の電気機器が操作対象の電気機器になると考えられる。
【００３９】
ここで、機器情報取得部３０１は、機器情報取得部３０１により取得された注目電気機器の機器状態情報に基づいて、注目電気機器の機器状態がユーザによる操作により変化したか否かを画面において明示する。注目電気機器の機器状態が変化したか否かを画面において明示する手法は、適宜、調整することができる。例えば、注目電気機器の機器状態が画面内において更新されるだけでもよいし、画面内において注目電気機器に関わる情報が表示される領域が強調表示されてもよい。
【００４０】
取得指示受付部３０３は、ユーザによる操作の後、注目電気機器の機器状態情報の取得指示を受け付ける。取得指示は、例えば、ユーザによるボタンの押圧操作により実現される。取得指示受付部３０３は、例えば、ＣＰＵ３１とタッチスクリーン３６とを備える。
【００４１】
取得要求送信部３０４は、取得指示受付部３０３により取得指示が受け付けられたことに応答して、注目電気機器の機器状態情報の取得要求を、制御装置１００に送信する。この取得要求は、制御装置１００に、機器状態情報を要求するコマンドを注目電気機器に向けて送信させ、機器状態情報を注目電気機器から受信させる要求である。取得要求送信部３０４は、例えば、ＣＰＵ３１と宅内電気通信網インターフェース３７とを備える。
【００４２】
ここで、機器情報取得部３０１は、制御装置１００が取得要求送信部３０４により送信された取得要求に応答して、注目電気機器から新たに収集した機器状態情報を、制御装置１００から取得する。
【００４３】
そして、機器情報表示部３０２は、取得指示受付部３０３により取得指示が受け付けられる前後で、注目電気機器の機器状態が変化したか否かを、画面における注目電気機器の機器情報が表示される領域において明示する。
【００４４】
また、取得指示受付部３０３は、ユーザによる操作の後、各電気機器の機器状態情報の取得指示を受け付けてもよい。
【００４５】
この場合、取得要求送信部３０４は、取得指示受付部３０３により取得指示が受け付けられたことに応答して、各電気機器の機器状態情報の取得要求を、制御装置１００に送信する。
【００４６】
一方、機器情報取得部３０１は、制御装置１００が取得要求送信部３０４により送信された取得要求に応答して、各電気機器から新たに収集した機器状態情報を、制御装置１００から取得する。
【００４７】
そして、機器情報表示部３０２は、取得指示受付部３０３により取得指示が受け付けられる前後で、機器状態が変化した電気機器の機器情報が表示される領域を、画面において明示する。
【００４８】
次に、図６を参照して、更新ボタンが表示された設置位置確認画面について説明する。
【００４９】
図６に示すように、設置位置確認画面である画面６００には、電気機器毎に、識別子（電気機器の名称）と、設置位置（想定設置位置）と、機器状態と、更新ボタンと、が対応付けて表示される。なお、識別子は、領域６０１に表示され、設置位置は領域６０２に表示され、機器状態は領域６０３に表示される。ここで、識別子と設置位置と機器状態とのいずれも、端末装置３００が制御装置１００から取得する機器情報により示される。つまり、制御装置１００は、電気機器毎の機器情報を保持している。なお、制御装置１００は、各電気機器から取得した機器状態情報により、保持している機器情報のうち、機器状態情報を、適宜、更新する。
【００５０】
図６は、電気機器２１０（エアコン１）は、リビングに設置され、停止中であり、電気機器２２０（エアコン２）は、書斎に設置され、停止中であり、電気機器２３０（エアコン３）は、寝室に設置され、停止中である例を示している。
【００５１】
また、領域６０３の隣には、ボタン６０４が表示される。ボタン６０４は、このボタン６０４に対応する電気機器の機器状態の更新指示を受け付ける個別更新ボタンである。
【００５２】
また、画面６００には、ボタン６０５が表示される。ボタン６０５は、全ての電気機器の機器状態の更新指示を受け付ける一括更新ボタンである。
【００５３】
次に、図７を参照して、個別更新ボタンが押された後の設置位置確認画面について説明する。
【００５４】
まず、前提条件として、ユーザは、図６に示す設置位置確認画面が表示されている状態において、ユーザが注目している電気機器（以下、適宜「注目電気機器」という。）の設置位置が正しく登録されているか否かを確認するものとする。なお、注目電気機器は、電気機器２３０（エアコン３）であるものとする。この場合、ユーザは、電気機器２３０が設置された位置であると想定される寝室に移動し、寝室に設置された電気機器を直接又は専用リモコンを用いて、機器状態が変化するように操作する。例えば、ユーザは、寝室に設置された電気機器の機器状態が停止中から冷房中になるように、寝室に設置された電気機器が備えるボタンを操作する。その後、ユーザは、注目電気機器に対応付けて画面６００に表示されたボタン６０４（個別更新ボタン）を押圧操作する。このボタン６０４の押圧操作により、図６に示す画面６００は、図７に示す画面６１０に更新される。
【００５５】
画面６１０は、ユーザが操作した電気機器が、注目電気機器であったことを示している。つまり、画面６１０は、寝室に設置されていると制御装置１００が認識している電気機器２３０が、本当に寝室に設置されていたことを示している。このように、画面６１０は、制御装置１００に登録されている、注目電気機器の設置位置が正しかったことを示している。
【００５６】
ここで、設置位置が正しいこと明示する手法は、適宜、調整することができる。例えば、図７に示すように、注目電気機器の機器状態を示す領域を、他の電気機器の機器状態を示す領域と異なる態様（例えば、色）で表示することができる。なお、画面６１０において、注目電気機器の機器状態が更新されれば、色などの態様を変化させなくてもよい。このような場合でも、ユーザは、注目電気機器の機器状態が変化したか否かにより、設定されている設置位置が正しいか否かを知ることができるためである。
【００５７】
一方、注目電気機器の設置位置が正しくない場合、ボタン６０４の押圧操作の後も、図６に示す画面６００が維持される。例えば、電気機器２３０の設置位置が誤ってリビングであると設定されている場合、ユーザによりリビングにある他の電気機器（例えば、電気機器２１０）が操作されても、電気機器２３０の機器状態は変化しないためである。なお、機器状態が個別更新される場合、操作された他の電気機器の機器状態が変化しても、機器状態が更新されたことは画面表示に反映されない。
【００５８】
次に、図８を参照して、一括更新ボタンが押された後の設置位置確認画面について説明する。
【００５９】
なお、ユーザが個別更新ボタンに代えて一括更新ボタンを押圧すること以外の前提条件は、基本的に、上述した条件と同様であるものとする。従って、注目電気機器は、電気機器２３０である。まず、ユーザは、電気機器２３０であると想定される、寝室に設置された電気機器が備えるボタンを操作する。その後、ユーザは、画面６００に表示されたボタン６０５（一括更新ボタン）を押圧操作する。このボタン６０５の押圧操作により、図６に示す画面６００は、図８に示す画面６２０に更新される。
【００６０】
画面６２０は、ユーザが操作した電気機器が、注目電気機器であったことを示している。つまり、画面６２０は、寝室に設置されていると制御装置１００が認識している電気機器２３０が、本当に寝室に設置されていたことを示している。このように、画面６２０は、制御装置１００に設定されている、注目電気機器の設置位置が正しかったことを示している。
【００６１】
ここで、設置位置が正しいこと明示する手法は、適宜、調整することができる。例えば、図８に示すように、機器状態が変化した電気機器に関わる情報を示す領域を、他の電気機器の機器状態を示す領域と異なる態様（例えば、色）で表示することができる。なお、画面６２０において、機器状態が変化した電気機器の機器状態が更新されれば、色などの態様を変化させなくてもよい。このような場合でも、ユーザは、どの電気機器の機器状態が変化したか否かにより、登録されている設置位置が正しいか否かを知ることができるためである。
【００６２】
ここで、機器状態が一括更新される場合、操作された他の電気機器の機器状態が変化すると、他の電気機器の機器状態が更新されたことが画面表示に反映される。例えば、電気機器２３０の設置位置が誤ってリビングであると登録されている場合、ユーザによりリビングにある他の電気機器（例えば、電気機器２１０）が操作され、電気機器２１０の機器状態が変化し、画面表示に反映される。
【００６３】
次に、図９に示すフローチャートを参照して、端末装置３００が実行する設置位置確認支援処理について説明する。なお、端末装置３００は、例えば、設置位置確認支援処理の開始指示がタッチスクリーン３６により受け付けられたことに応答して、図９に示す設置位置確認支援処理を開始する。
【００６４】
まず、ＣＰＵ３１は、各電気機器の機器情報を制御装置１００から取得する（ステップＳ１０１）。例えば、ＣＰＵ３１は、宅内電気通信網インターフェース３７を制御して、各電気機器の機器情報の取得指示を制御装置１００に送信する。一方、制御装置１００は、フラッシュメモリ１４に記憶されている電気機器毎の機器情報を、端末装置３００に送信する。なお、本実施形態では、制御装置１００は、端末装置３００からの指示がない限り、フラッシュメモリ１４に記憶されている機器情報（特に、機器状態情報）を更新しないものとする。そして、ＣＰＵ３１は、制御装置１００により送信された電気機器毎の機器情報を、宅内電気通信網インターフェース３７を介して取得する。ＣＰＵ３１は、取得した電気機器毎の機器情報を、フラッシュメモリ３４に記憶する。
【００６５】
ＣＰＵ３１は、ステップＳ１０１の処理を完了すると、設置位置確認画面を表示する（ステップＳ１０２）。具体的には、まず、ＣＰＵ３１は、取得した電気機器毎の機器情報に基づいて、電気機器毎の識別子と設置位置と機器状態とを特定する。そして、ＣＰＵ３１は、特定した内容を示す設置位置確認画面（例えば、画面６００）を表示するための画像信号を、タッチスクリーン３６に供給する。一方、タッチスクリーン３６は、ＣＰＵ３１から供給された画像信号に従って、設置位置確認画面を表示する。
【００６６】
ＣＰＵ３１は、ステップＳ１０２の処理を完了すると、個別更新ボタンの押圧操作があるか否かを判別する（ステップＳ１０３）。具体的には、例えば、ＣＰＵ３１は、ボタン６０４に対するタッチ操作がタッチスクリーン３６により受け付けられたか否かを判別する。なお、ユーザは、設置位置確認画面において、注目電気機器の設置位置として表示されている設置位置に設置された電気機器を操作した後、個別更新ボタンを押圧する。
【００６７】
ＣＰＵ３１は、個別更新ボタンの押圧操作があると判別すると（ステップＳ１０３：ＹＥＳ）、注目電気機器（機器状態情報の取得対象の電気機器）を特定する（ステップＳ１０４）。例えば、ＣＰＵ３１は、押圧操作がなされたボタン６０４に対応する電気機器を、注目電気機器として特定する。
【００６８】
ＣＰＵ３１は、ステップＳ１０４の処理を完了すると、注目電気機器の機器状態情報を制御装置１００から取得する（ステップＳ１０５）。例えば、ＣＰＵ３１は、宅内電気通信網インターフェース３７を制御して、注目電気機器の機器状態情報の取得指示を制御装置１００に送信する。一方、制御装置１００は、端末装置３００から取得指示を受信したことに応答して、機器状態情報を要求するコマンドを注目電気機器に対して送信する。一方、注目電気機器は、制御装置１００からこのコマンドを受信したことに応答して、機器状態情報を制御装置１００に送信する。
【００６９】
ここで、制御装置１００は、注目電気機器から受信した機器状態情報に基づいて、フラッシュメモリ１４に記憶されている、注目電気機器の機器情報を更新する。また、制御装置１００は、注目電気機器から受信した機器状態情報を、端末装置３００に送信する。一方、ＣＰＵ３１は、制御装置１００により送信された機器状態情報を、宅内電気通信網インターフェース３７を介して取得する。ＣＰＵ３１は、取得した注目電気機器の機器状態情報を、フラッシュメモリ３４に記憶する。
【００７０】
ＣＰＵ３１は、ステップＳ１０５の処理を完了すると、注目電気機器の機器状態が押圧操作の前後で変化したか否かを判別する（ステップＳ１０６）。例えば、ＣＰＵ３１は、フラッシュメモリ３４に記憶されている、押圧操作前における注目電気機器の機器状態情報と、フラッシュメモリ３４に記憶されている、押圧操作後における注目電気機器の機器状態情報と、が一致しているか否かを判別する。なお、押圧操作前における注目電気機器の機器状態情報は、例えば、ステップＳ１０１で取得された電気機器毎の機器情報（もしくは、後述する更新後の電気機器毎の機器情報）に含まれている。なお、ＣＰＵ３１は、上記判別処理の後、フラッシュメモリ３４に記憶されている電気機器毎の機器情報を、ステップＳ１０５において取得した注目電気機器の機器状態情報で更新することができる。
【００７１】
ＣＰＵ３１は、注目電気機器の機器状態が押圧操作の前後で変化したと判別すると（ステップＳ１０６：ＹＥＳ）、注目電気機器が明示されるように設置位置確認画面を更新する（ステップＳ１０７）。具体的には、まず、ＣＰＵ３１は、注目電気機器の機器状態が変化する前の設置位置確認画面（例えば、画面６００）において、注目電気機器の機器状態を新たな機器状態に更新するとともに、注目電気機器が明確になるように表示態様を変更する。そして、ＣＰＵ３１は、変更後の設置位置確認画面（例えば、画面６１０）を表示するための画像信号を、タッチスクリーン３６に供給する。一方、タッチスクリーン３６は、ＣＰＵ３１から供給された画像信号に従って、設置位置確認画面を表示する。
【００７２】
一方、ＣＰＵ３１は、個別更新ボタンの押圧操作がないと判別すると（ステップＳ１０３：ＮＯ）、一括更新ボタンの押圧操作があるか否かを判別する（ステップＳ１０８）。具体的には、例えば、ＣＰＵ３１は、ボタン６０５に対するタッチ操作がタッチスクリーン３６により受け付けられたか否かを判別する。なお、ユーザは、設置位置確認画面において、注目電気機器の設置位置として表示されている設置位置に設置された電気機器を操作した後、一括更新ボタンを押圧する。
【００７３】
ＣＰＵ３１は、一括更新ボタンの押圧操作があると判別すると（ステップＳ１０８：ＹＥＳ）、電気機器毎の機器状態情報を制御装置１００から取得する（ステップＳ１０９）。例えば、ＣＰＵ３１は、宅内電気通信網インターフェース３７を制御して、電気機器毎の機器状態情報の取得指示を制御装置１００に送信する。一方、制御装置１００は、端末装置３００から取得指示を受信したことに応答して、機器状態情報を要求するコマンドを各電気機器に対して送信する。一方、各電気機器は、制御装置１００からこのコマンドを受信したことに応答して、機器状態情報を制御装置１００に送信する。
【００７４】
ここで、制御装置１００は、各電気機器から受信した機器状態情報に基づいて、フラッシュメモリ１４に記憶されている、電気機器毎の機器情報を更新する。また、制御装置１００は、各電気機器から受信した機器状態情報を、端末装置３００に送信する。一方、ＣＰＵ３１は、制御装置１００により送信された電気機器毎の機器状態情報を、宅内電気通信網インターフェース３７を介して取得する。ＣＰＵ３１は、取得した電気機器毎の機器状態情報を、フラッシュメモリ３４に記憶する。
【００７５】
ＣＰＵ３１は、ステップＳ１０９の処理を完了すると、機器状態が押圧操作の前後で変化した電気機器を特定する（ステップＳ１１０）。例えば、ＣＰＵ３１は、フラッシュメモリ３４に記憶されている、押圧操作前における機器状態情報と、フラッシュメモリ３４に記憶されている、押圧操作後における機器状態情報と、が一致しているか否かを、電気機器毎に判別する。なお、押圧操作前における電気機器毎の機器状態情報は、例えば、ステップＳ１０１で取得された電気機器毎の機器情報（もしくは、後述する更新後の電気機器毎の機器情報）に含まれている。なお、ＣＰＵ３１は、上記特定処理の後、フラッシュメモリ３４に記憶されている電気機器毎の機器情報を、ステップＳ１０９において取得した電気機器毎の機器状態情報で更新することができる。
【００７６】
ＣＰＵ３１は、ステップＳ１１０の処理を完了すると、特定された電気機器が明示されるように設置位置確認画面を更新する（ステップＳ１１１）。具体的には、まず、ＣＰＵ３１は、特定された電気機器の機器状態が変化する前の設置位置確認画面（例えば、画面６００）において、特定された電気機器の機器状態を新たな機器状態に更新するとともに、特定された電気機器が明確になるように表示態様を変更する。そして、ＣＰＵ３１は、変更後の設置位置確認画面（例えば、画面６２０）を表示するための画像信号を、タッチスクリーン３６に供給する。一方、タッチスクリーン３６は、ＣＰＵ３１から供給された画像信号に従って、設置位置確認画面を表示する。
【００７７】
ＣＰＵ３１は、注目電気機器の機器状態が押圧操作の前後で変化していないと判別した場合（ステップＳ１０６：ＮＯ）、ステップＳ１０７の処理を完了した場合、一括更新ボタンの押圧操作がないと判別した場合（ステップＳ１０８：ＮＯ）、ステップＳ１１１の処理を完了した場合、ステップＳ１０３に処理を戻す。
【００７８】
本実施形態によれば、注目電気機器であると想定される操作対象の電気機器に対するユーザの操作により、注目電気機器の機器状態が変化したか否かが画面において明示される。より詳細には、本実施形態によれば、注目電気機器の想定設置位置に設置された電気機器がユーザにより操作された後に、制御装置により新たに収集された、注目電気機器の機器状態情報に基づいて、注目電気機器の機器状態がユーザによる操作により変化したか否かが画面において明示される。従って、本実施形態によれば、注目電気機器の設置位置が正しく設定されているか否かをユーザに明示することができる。
【００７９】
また、本実施形態によれば、注目電気機器の機器状態情報の取得指示の前後で、注目電気機器の機器状態が変化したか否かが、画面における注目電気機器の機器情報が表示される領域において明示される。従って、本実施形態によれば、注目電気機器の設置位置が正しく設定されているか否かをユーザにわかりやすく明示することができる。また、本実施形態によれば、注目電気機器の機器状態情報だけが取得されるため、設置位置の確認が迅速且つ少ない通信量で実現される。
【００８０】
また、本実施形態によれば、各電気機器の機器状態情報の取得指示の前後で、機器状態が変化した電気機器の機器情報が表示される領域が、画面において明示される。従って、本実施形態によれば、注目電気機器の設置位置が正しく設定されていない場合、どの電気機器の設置位置と誤って設定されたのかをユーザにわかりやすく明示することができる。
【００８１】
（第１の実施形態の変形例）
第１の実施形態では、ユーザにより更新ボタン（個別更新ボタン又は一括更新ボタン）が押圧されたことに応答して、機器状態情報が取得される例について説明した。本発明において、自動で、定期的に、機器状態情報が取得されてもよい。
【００８２】
この場合、機器情報取得部３０１は、制御装置１００が定期的に各電気機器から収集する機器状態情報を、制御装置１００から定期的に取得する。機器情報取得部３０１は、例えば、ＣＰＵ３１とＲＴＣ３５と宅内電気通信網インターフェース３７とを備える。
【００８３】
そして、機器情報表示部３０２は、機器情報取得部３０１により定期的に取得される機器状態情報により示される機器状態が変化した電気機器の機器情報が表示される領域を、画面において明示する。なお、この画面として、例えば、図８に示す設置位置確認画面（画面６２０）からボタン６０４とボタン６０５とを除外した画面を採用することができる。
【００８４】
次に、図１０に示すフローチャートを参照して、変形例に係る端末装置３００が実行する設置位置確認支援処理について説明する。なお、端末装置３００は、例えば、設置位置確認支援処理の開始指示がタッチスクリーン３６により受け付けられたことに応答して、図１０に示す設置位置確認支援処理を開始する。
【００８５】
まず、ＣＰＵ３１は、電気機器毎の機器情報を制御装置１００から取得する（ステップＳ２０１）。ＣＰＵ３１は、取得した電気機器毎の機器情報を、フラッシュメモリ３４に記憶する。
【００８６】
ＣＰＵ３１は、ステップＳ２０１の処理を完了すると、設置位置確認画面を表示する（ステップＳ２０２）。例えば、ＣＰＵ３１は、タッチスクリーン３６を制御して、図６に示す設置位置確認画面（画面６００）からボタン６０４とボタン６０５とを除外した画面を表示する。
【００８７】
ＣＰＵ３１は、ステップＳ２０２の処理を完了すると、タイマカウンタを再起動する（ステップＳ２０３）。具体的には、例えば、ＣＰＵ１１は、ＲＴＣ３５により構成されるタイマカウンタの値を０にクリアし、このタイマカウンタにカウントアップを開始させる。
【００８８】
ＣＰＵ３１は、ステップＳ２０３の処理を完了すると、タイマカウンタの値が閾値以上であるか否かを判別する（ステップＳ２０４）。具体的には、例えば、ＣＰＵ３１は、ＲＴＣ３５により構成されるタイマカウンタの値が、予め定められた閾値以上であるか否かを判別する。ＣＰＵ３１は、タイマカウンタの値が閾値以上でないと判別すると（ステップＳ２０４：ＮＯ）、ステップＳ２０４に処理を戻す。
【００８９】
一方、ＣＰＵ３１は、タイマカウンタの値が閾値以上であると判別すると（ステップＳ２０４：ＹＥＳ）、電気機器毎の機器状態情報を制御装置１００から取得する（ステップＳ２０５）。ＣＰＵ３１は、取得した電気機器毎の機器状態情報を、フラッシュメモリ３４に記憶する。
【００９０】
ＣＰＵ３１は、ステップＳ２０５の処理を完了すると、機器状態が押圧操作の前後で変化した電気機器を特定する（ステップＳ２０６）。ＣＰＵ３１は、上記特定処理の後、フラッシュメモリ３４に記憶されている電気機器毎の機器情報を、ステップＳ２０５において取得した電気機器毎の機器状態情報で更新することができる。
【００９１】
ＣＰＵ３１は、ステップＳ２０６の処理を完了すると、特定された電気機器が明示されるように設置位置確認画面を更新する（ステップＳ２０７）。具体的には、ＣＰＵ３１は、タッチスクリーン３６を制御して、図８に示す設置位置確認画面（画面６００）からボタン６０４とボタン６０５とを除外した画面を表示する。
【００９２】
ＣＰＵ３１は、ステップＳ２０７の処理を完了した場合、ステップＳ２０３に処理を戻す。
【００９３】
本実施形態によれば、自動で定期的に、機器状態が変化した電気機器の機器情報が表示される領域が、画面において明示される。従って、本実施形態によれば、ユーザにかける手間を抑えつつ、注目電気機器の設置位置が正しく設定されていない場合、どの電気機器の設置位置と誤って設定されたのかをユーザにわかりやすく明示することができる。
【００９４】
（第２の実施形態）
第１の実施形態では、ユーザによる電気機器の操作後、端末装置３００が、電気機器の設置位置が適切であるか否かを明示する画面を表示する例について説明した。本発明において、ユーザによる電気機器の設置位置の確認を支援する方法は、この例に限定されない。例えば、本発明において、ユーザから端末装置３１０に対して、電気機器の設置位置の確認が要求された場合、機器状態の変化が明確である制御コマンドが電気機器に送信されるようにしてもよい。以下では、基本的に、第２の実施形態に係る端末装置３１０が第１の実施形態に係る端末装置３００と異なる部分について説明する。また、第２の実施形態に係る端末装置３１０は、物理的な構成に関しては、第１の実施形態に係る端末装置３００と同様である。
【００９５】
まず、図１１を参照して、端末装置３１０の基本的な機能について説明する。端末装置３１０は、機能的には、機器情報を取得する機器情報取得部３０１と、機器情報を表示する機器情報表示部３０２と、押圧操作を検知する操作検知部３０５と、電気機器を特定する電気機器特定部３０６と、制御コマンドを選択する制御コマンド選択部３０７と、送信指示を送信する送信指示送信部３０８と、を備える。
【００９６】
機器情報取得部３０１は、制御装置１００から電気機器毎の機器情報を取得する。なお、制御装置１００は、制御コマンドにより各電気機器を制御する。また、制御装置１００は、電気機器を特定する識別子を示す情報と、電気機器が設置された位置であると想定される想定設置位置を示す情報と、制御コマンドを示す制御コマンド情報と、を含む電気機器毎の機器情報を記憶する。機器情報取得部３０１は、例えば、ＣＰＵ３１と宅内電気通信網インターフェース３７とを備える。
【００９７】
機器情報表示部３０２は、機器情報取得部３０１により取得された電気機器毎の機器情報に基づいて、電気機器毎に識別子と想定設置位置と設置位置確認指示ボタンとを対応付けて画面に表示する。機器情報表示部３０２は、例えば、ＣＰＵ３１とタッチスクリーン３６とを備える。
【００９８】
操作検知部３０５は、機器情報表示部３０２により電気機器毎に画面に表示された設置位置確認指示ボタンに対する押圧操作を検知する。操作検知部３０５は、例えば、ＣＰＵ３１とタッチスクリーン３６とを備える。
【００９９】
電気機器特定部３０６は、操作検知部３０５により押圧操作が検知された設置位置確認指示ボタンに対応付けて画面に表示された識別子により特定される電気機器を特定する。電気機器特定部３０６は、例えば、ＣＰＵ３１を備える。
【０１００】
制御コマンド選択部３０７は、機器情報取得部３０１により取得された電気機器毎の機器情報に基づいて、電気機器特定部３０６により特定された電気機器に対する制御コマンドのうち、機器状態の変化が視覚的又は聴覚的に明確である制御コマンドを選択する。制御コマンド選択部３０７は、例えば、ＣＰＵ３１を備える。
【０１０１】
送信指示送信部３０８は、電気機器特定部３０６により特定された電気機器に対する、制御コマンド選択部３０７により選択された制御コマンドの送信指示を、制御装置１００に送信する。送信指示送信部３０８は、例えば、ＣＰＵ３１と宅内電気通信網インターフェース３７とを備える。
【０１０２】
次に、図１２を参照して、設置位置確認ボタンが表示された設置位置確認画面について説明する。
【０１０３】
図１２に示すように、設置位置確認画面である画面６３０には、電気機器毎に、識別子（電気機器の名称）と、設置位置（想定設置位置）と、機器状態と、設置位置確認ボタンと、が対応付けて表示される。なお、識別子は、領域６０１に表示され、設置位置は領域６０２に表示され、機器状態は領域６０３に表示される。ここで、識別子と設置位置と機器状態とのいずれも、端末装置３００が制御装置１００から取得する機器情報により示される。なお、端末装置３００が制御装置１００から取得する機器情報には、電気機器に対する制御コマンドを示す制御コマンド情報が含まれる。
【０１０４】
また、領域６０３の隣には、ボタン６０６が表示される。ボタン６０６は、このボタン６０６に対応する電気機器の設置位置の確認指示を受け付ける設置位置確認ボタンである。
【０１０５】
ここで、ユーザは、図１２に示す設置位置確認画面が表示されている状態において、注目電気機器の設置位置が正しく登録されているか否かを確認するものとする。なお、注目電気機器は、電気機器２３０（エアコン３）であるものとする。この場合、ユーザは、電気機器２３０が設置された位置であると想定される寝室に移動した後、電気機器２３０に対応付けられたボタン６０６（設置位置確認ボタン）を押圧する。
【０１０６】
一方、端末装置３１０は、ボタン６０６が押圧されたことに応答して、このボタン６０６に対応付けられた電気機器（注目電気機器）を特定する。そして、端末装置３１０は、制御装置１００から取得した機器情報に基づいて、特定された電気機器に対する制御コマンドのうち、機器状態の変化が視覚的又は聴覚的に明確である制御コマンドを選択する。そして、端末装置３１０は、特定された電気機器に対する、選択された制御コマンドの送信指示を、制御装置１００に送信する。
【０１０７】
選択される制御コマンドは、電気機器が備える発光素子を点灯させる制御コマンド、電気機器が備えるブザーを鳴らす制御コマンド、電気機器の形状を大きく変化させる制御コマンドなど、ユーザが機器状態の変化を認識しやすい制御コマンドであることが望ましい。
【０１０８】
ここで、制御装置１００は、端末装置３１０から送信指示を受信したことに応答して、特定された電気機器に、選択された制御コマンドを送信する。一方、特定された電気機器は、制御装置１００から制御コマンドを受信したことに応答して、この制御コマンドに従った処理を実行し、機器状態を変化させる。そして、ユーザは、自分がいる場所から確認可能な電気機器の状態が変化したか否かにより、注目電気機器に対して設定された設置位置が正しいか否かを判別することができる。具体的には、ユーザは、自分がいる場所から確認可能な電気機器の状態が変化した場合、注目電気機器に対して設定された設置位置が正しいと判別する。一方、ユーザは、自分がいる場所から確認可能な電気機器の状態が変化しない場合、注目電気機器に対して設定された設置位置が正しくないと判別する。
【０１０９】
次に、図１３に示すフローチャートを参照して、端末装置３１０が実行する設置位置確認支援処理について説明する。なお、端末装置３１０は、例えば、設置位置確認支援処理の開始指示がタッチスクリーン３６により受け付けられたことに応答して、図１３に示す設置位置確認支援処理を開始する。
【０１１０】
まず、ＣＰＵ３１は、電気機器毎の機器情報を制御装置１００から取得する（ステップＳ３０１）。ＣＰＵ３１は、取得した電気機器毎の機器情報を、フラッシュメモリ３４に記憶する。
【０１１１】
ＣＰＵ３１は、ステップＳ３０１の処理を完了すると、設置位置確認画面を表示する（ステップＳ３０２）。例えば、ＣＰＵ３１は、タッチスクリーン３６を制御して、図１２に示す設置位置確認画面（画面６３０）を表示する。
【０１１２】
ＣＰＵ３１は、ステップＳ３０２の処理を完了すると、設置位置確認ボタンの押圧操作があるか否かを判別する（ステップＳ３０３）。具体的には、例えば、ＣＰＵ３１は、ボタン６０６に対するタッチ操作がタッチスクリーン３６により受け付けられたか否かを判別する。なお、ユーザは、設置位置確認画面において、注目電気機器の設置位置として表示されている設置位置に設置された電気機器の機器状態の変化を認識できる場所に移動した後、設置位置確認ボタンを押圧する。
【０１１３】
ＣＰＵ３１は、設置位置確認ボタンの押圧操作があると判別すると（ステップＳ３０３：ＹＥＳ）、注目電気機器（設置位置確認の対象の電気機器）を特定する（ステップＳ３０４）。例えば、ＣＰＵ３１は、押圧操作がなされたボタン６０６に対応する電気機器を、注目電気機器として特定する。
【０１１４】
ＣＰＵ３１は、ステップＳ３０４の処理を完了すると、設置位置を確認しやすい制御コマンドを選択する（ステップＳ３０５）。具体的には、ＣＰＵ３１は、ステップＳ３０１において取得された機器情報のうち、注目電気機器の機器情報を特定する。そして、ＣＰＵ３１は、特定した機器情報に含まれる制御コマンド情報に基づいて、機器状態の変化が視覚的又は聴覚的に明確である制御コマンドを選択する。
【０１１５】
ＣＰＵ３１は、ステップＳ３０５の処理を完了すると、選択された制御コマンドの送信指示を、制御装置１００に送信する（ステップＳ３０５）。例えば、ＣＰＵ３１は、宅内電気通信網インターフェース３７を制御して、選択された制御コマンドの送信指示を制御装置１００に送信する。一方、制御装置１００は、端末装置３００から送信指示を受信したことに応答して、選択された制御コマンドを注目電気機器に対して送信する。一方、注目電気機器は、制御装置１００から選択された制御コマンドを受信したことに応答して、この制御コマンドに従った動作を実行し、機器状態を変化させる。一方、ユーザは、自分がいる場所から機器状態の変化を認識できる電気機器の機器状態が変化したか否かを判別することができる。
【０１１６】
ＣＰＵ３１は、設置位置確認ボタンの押圧操作がないと判別した場合（ステップＳ３０３：ＮＯ）、又は、ステップＳ３０６の処理を完了した場合、ステップＳ３０３に処理を戻す。
【０１１７】
本実施形態によれば、ユーザが、注目電気機器の設置位置であると想定される位置に設置された電気機器の機器状態を認識可能な位置にいる状態において、機器状態の変化が視覚的又は聴覚的に明確である制御コマンドが注目電気機器に対して送信される。従って、本実施形態によれば、注目電気機器の設置位置が正しく設定されているか否かを、ユーザにわかりやすく知らせることができる。
【０１１８】
（第３の実施形態）
第１の実施形態では、登録済みの設置位置が適切であるか否かをユーザが事後的に確認することを支援する例について説明した。本発明において、なるべく正しく設置位置を設定できるようにユーザを支援してもよい。以下、電気機器と制御装置１００とのペアリング時に、電気機器の設置位置が設定される例について説明する。なお、ペアリングは、例えば、制御装置１００と電気機器とが相互に通信可能な状態となるように、制御装置１００に電気機器を設定する処理である。
【０１１９】
なお、第３の実施形態に係る設置位置設定支援システムは、制御装置１００に代えて制御装置１１０を備えるが、物理的な構成に関しては、第１の実施形態に係る設置位置確認支援システム１０００と同様である。つまり、第３の実施形態に係る制御装置１１０は、物理的な構成に関しては、第１の実施形態に係る制御装置１００と同様である。以下では、基本的に、第３の実施形態に係る制御装置１１０が第１の実施形態に係る制御装置１００と異なる部分について説明する。以下、本実施形態において、設置位置の設定の対象となる電気機器は、電気機器２１０であるものとして説明する。
【０１２０】
まず、図１４を参照して、制御装置１１０の基本的な機能について説明する。制御装置１１０は、機能的には、電気機器２１０の登録要求を受信する登録要求受信部１０１と、電気機器２１０を登録する機器登録部１０２と、設置位置情報を取得する設置位置情報取得部１０３と、設置位置情報を記憶する設置位置情報記憶部１０４と、電気機器２１０と通信する通信部１０５と、を備える。
【０１２１】
登録要求受信部１０１は、制御装置１１０を介して端末装置３００により制御又は監視される電気機器２１０を制御装置１１０に登録する旨の登録要求を、電気機器２１０から受信する。登録要求受信部１０１は、例えば、宅内電気通信網インターフェース１７を備える。
【０１２２】
機器登録部１０２は、登録要求受信部１０１により登録要求が受信されたことに応答して、制御装置１１０に対して電気機器２１０を登録する。機器登録部１０２は、例えば、ＣＰＵ１１と宅内電気通信網インターフェース１７とを備える。
【０１２３】
設置位置情報取得部１０３は、電気機器２１０が設置された位置を示す設置位置情報を取得する。設置位置情報取得部１０３は、例えば、タッチスクリーン１６や宅内電気通信網インターフェース１７を備える。
【０１２４】
設置位置情報記憶部１０４は、設置位置情報取得部１０３により取得された設置位置情報を記憶する。設置位置情報記憶部１０４は、例えば、ＣＰＵ１１とフラッシュメモリ１４とを備える。
【０１２５】
通信部１０５は、機器登録部１０２により制御装置１１０に対して電気機器２１０が登録され、設置位置情報記憶部１０４に設置位置情報が記憶された後、電気機器２１０から機器情報を受信し、又は、電気機器２１０に制御コマンドを送信する。通信部１０５は、例えば、ＣＰＵ１１と宅内電気通信網インターフェース１７とを備える。
【０１２６】
次に、図１５に示すフローチャートを参照して、制御装置１１０が実行する設置位置設定支援処理について説明する。なお、制御装置１１０は、例えば、電源が投入されたことに応答して、図１５に示す設置位置設定支援処理を開始する。
【０１２７】
まず、ＣＰＵ１１は、電気機器２１０の登録要求があるか否かを判別する（ステップＳ４０１）。例えば、ＣＰＵ１１は、電気機器２１０から送信された登録要求が、宅内電気通信網インターフェース１７により受信されたか否かを判別する。なお、電気機器２１０は、例えば、登録を要求する操作をユーザから受け付けた場合、又は、宅内電気通信網４００に接続可能な位置に設置された場合、登録要求を制御装置１１０に送信することができる。ＣＰＵ１１は、電気機器２１０の登録要求がないと判別した場合（ステップＳ４０１：ＮＯ）、ステップＳ４０１に処理を戻す。
【０１２８】
一方、ＣＰＵ１１は、電気機器２１０の登録要求があると判別した場合（ステップＳ４０１：ＹＥＳ）、電気機器２１０を登録する（ステップＳ４０２）。具体的には、ＣＰＵ１１は、制御装置１１０と電気機器２１０との間で、基本的な通信が可能となるように、ペアリング処理を実行する。例えば、ＣＰＵ１１は、制御装置１１０のＭＡＣアドレスを電気機器２１０に送信したり、電気機器２１０のＭＡＣアドレスを電気機器２１０から受信したりする。また、ＣＰＵ１１は、電気機器２１０に、ＩＰアドレスを割り当てたり、識別子を割り当てたりする。
【０１２９】
ＣＰＵ１１は、ステップＳ４０２の処理を完了すると、設置位置情報の取得を開始する（ステップＳ４０３）。なお、ＣＰＵ１１が設置位置情報を取得する手法は、適宜、調整することができる。
【０１３０】
例えば、ＣＰＵ１１は、タッチスクリーン１６に、間取りを示す図を表示させることができる。この場合、タッチスクリーン１６は、ユーザから電気機器２１０の設置位置を指定するタッチ操作を受け付ける。一方、ＣＰＵ１１は、タッチスクリーン１６により受け付けられたタッチ操作により示された設置位置を特定することができる。なお、ユーザは、電気機器２１０を制御装置１１０に登録する場合、電気機器２１０が設置された場所にいることが一般的である。従って、ユーザが、電気機器２１０を制御装置１１０に登録するのと同時に、電気機器２１０の設置位置を制御装置１１０に設定する場合、誤った設置位置を設定する可能性は低くなると考えられる。
【０１３１】
また、例えば、ＣＰＵ１１は、電気機器２１０から自動で設置位置情報を取得してもよい。具体的には、例えば、ＣＰＵ１１は、宅内電気通信網インターフェース１７を介して、設置位置情報の送信要求を電気機器２１０に送信する。一方、電気機器２１０は、送信要求を受信したことに応答して、設置位置情報を制御装置１１０に送信する。そして、ＣＰＵ１１は、宅内電気通信網インターフェース１７により受信された設置位置情報を取得することができる。なお、電気機器２１０は、例えば、電気機器２１０に設置されたディップスイッチにより示される情報を、設置位置情報とすることができる。この場合、このディップスイッチは、例えば、電気機器２１０が設置された部屋に割り当てられた値に設定されている必要がある。
【０１３２】
また、ＣＰＵ１１は、バーコードリーダーにより読み出された情報に基づいて、設置位置情報を取得することができる。この場合、例えば、ユーザが、バーコードリーダーに、電気機器２１０に設置されたタグであって、電気機器２１０のＭＡＣアドレスが記録されたタグを読み込ませる。一方、ＣＰＵ１１は、バーコードリーダーにより取得された電気機器２１０のＭＡＣアドレスに基づいて、電気機器２１０の設置位置を特定する。この場合、例えば、ＭＡＣアドレスと設置位置との対応関係を示すテーブルなどが、フラッシュメモリ１４などに記憶されている必要がある。
【０１３３】
ＣＰＵ１１は、ステップＳ４０３の処理を完了すると、設置位置情報が取得されたか否かを判別する（ステップＳ４０４）。ＣＰＵ１１は、設置位置情報が取得されていないと判別した場合（ステップＳ４０４：ＮＯ）、ステップＳ４０４に処理を戻す。つまり、ＣＰＵ１１は、設置位置情報が取得されたと判別するまで、ステップＳ４０４の判別処理を繰り返す。
【０１３４】
ＣＰＵ１１は、設置位置情報が取得されたと判別した場合（ステップＳ４０４：ＹＥＳ）、設置位置情報を記憶する（ステップＳ４０５）。例えば、ＣＰＵ１１は、取得された設置位置情報と電気機器２１０の識別子を示す情報とを対応付けて、フラッシュメモリ１４に記憶する。
【０１３５】
ＣＰＵ１１は、ステップＳ４０５の処理を完了すると、登録された電気機器２１０の制御又は監視を開始する（ステップＳ４０６）。以後、ＣＰＵ１１は、例えば、制御コマンドを電気機器２１０に送信することにより、電気機器２１０を制御することができる。また、ＣＰＵ１１は、例えば、機器情報の取得を要求するコマンドを電気機器２１０に送信し、この応答として電気機器２１０から送信された機器情報（又は、機器情報を含むコマンド）を受信することで、電気機器２１０を監視することができる。ＣＰＵ１１は、ステップＳ４０６の処理を完了すると、ステップＳ４０１に処理を戻す。
【０１３６】
本実施形態によれば、電気機器２１０が制御装置１１０に登録される際に、電気機器２１０の設置位置が制御装置１１０に設定される。従って、本実施形態によれば、電気機器２１０の設置位置が誤って設定される可能性を低減させることができる。
【０１３７】
（変形例）
以上、本発明の実施形態を説明したが、本発明を実施するにあたっては、種々の形態による変形及び応用が可能である。
【０１３８】
本発明において、上記実施形態において説明した構成、機能、動作のどの部分を採用するのかは任意である。また、本発明において、上述した構成、機能、動作のほか、更なる構成、機能、動作が採用されてもよい。また、上記実施形態において説明した構成、機能、動作は、自由に組み合わせることができる。
【０１３９】
例えば、第１の実施形態に係る端末装置３００が実行する設置位置確認支援処理と、第２の実施形態に係る端末装置３１０が実行する設置位置確認支援処理と、の双方を端末装置が実行してもよい。かかる端末装置によれば、ユーザの利便性が高まることが期待できる。
【０１４０】
また、例えば、第３の実施形態に係る制御装置１１０が実行する設置位置設定支援処理が実行された後に、第１の実施形態に係る端末装置３００が実行する設置位置確認支援処理と、第２の実施形態に係る端末装置３１０が実行する設置位置確認支援処理と、のうちの、少なくとも一方が実行されてもよい。この場合、設置位置が誤設定される可能性が低減された上、誤設定された設置位置が容易に発見されることが期待できる。
【０１４１】
第３の実施形態では、制御装置１１０をインターフェースとして、電気機器２１０や電気機器２１０の設置位置が制御装置１１０に設定される例について説明した。本発明において、例えば、端末装置３００をユーザインターフェースとして、電気機器２１０や電気機器２１０の設置位置が制御装置１１０に登録されてもよい。
【０１４２】
本発明に係る制御装置や端末装置の動作を規定する動作プログラムを既存のパーソナルコンピュータや情報端末装置に適用することで、当該パーソナルコンピュータ等を本発明に係る制御装置や端末装置として機能させることも可能である。
【０１４３】
また、このようなプログラムの配布方法は任意であり、例えば、ＣＤ−ＲＯＭ（Compact Disk Read-Only Memory）、ＤＶＤ（Digital Versatile Disk）、ＭＯ（Magneto Optical Disk）、メモリカードなどのコンピュータ読み取り可能な記録媒体に格納して配布してもよいし、インターネットなどの通信ネットワークを介して配布してもよい。
【０１４４】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【産業上の利用可能性】
【０１４５】
本発明は、制御装置を用いて電気機器を制御するシステムに適用可能である。
【符号の説明】
【０１４６】
１１，２１，３１  ＣＰＵ、１２，２２，３２  ＲＯＭ、１３，２３，３３  ＲＡＭ、１４，２４，３４  フラッシュメモリ、１５，２５，３５  ＲＴＣ、１６，２６，３６  タッチスクリーン、１７，２７，３７  宅内電気通信網インターフェース、２８  処理実行装置、１００，１１０  制御装置、１０１  登録要求受信部、１０２  機器登録部、１０３  設置位置情報取得部、１０４  設置位置情報記憶部、１０５  通信部、２１０，２２０，２３０  電気機器、３００，３１０  端末装置、３０１  機器情報取得部、３０２  機器情報表示部、３０３  取得指示受付部、３０４  取得要求送信部、３０５  操作検知部、３０６  電気機器特定部、３０７  制御コマンド選択部、３０８  送信指示送信部、４００  宅内電気通信網、６００，６１０，６２０，６３０  画面、６０１，６０２，６０３  領域、６０４，６０５，６０６  ボタン、１０００  設置位置確認支援システム
【図１】
2015071999.tif 000003
【図２】
2015071999.tif 000004
【図３】
2015071999.tif 000005
【図４】
2015071999.tif 000006
【図５】
2015071999.tif 000007
【図６】
2015071999.tif 000008
【図７】
2015071999.tif 000009
【図８】
2015071999.tif 000010
【図９】
2015071999.tif 000011
【図１０】
2015071999.tif 000012
【図１１】
2015071999.tif 000013
【図１２】
2015071999.tif 000014
【図１３】
2015071999.tif 000015
【図１４】
2015071999.tif 000016
【図１５】
2015071999.tif 000017
【手続補正書】
【提出日】平成28年1月12日(2016.1.12)
【手続補正１】
【補正対象書類名】明細書
【補正対象項目名】０００７
【補正方法】変更
【補正の内容】
【０００７】
上記目的を達成するために、本発明に係る端末装置は、
電気機器を特定する識別子と電気機器が設置された位置であると想定される想定設置位置と電気機器の機器状態を示す機器状態情報とを含む電気機器毎の機器情報を記憶する制御装置から、前記機器情報を取得する取得手段と、
前記取得手段により取得された機器情報に基づいて、電気機器毎に識別子と想定設置位置と機器状態とを対応付けて画面に表示する表示手段と、を備え、
前記取得手段は、いずれかの電気機器がユーザにより操作された後に、前記ユーザにより指定された電気機器の機器状態情報を、前記制御装置から取得し、
前記表示手段は、前記取得手段により取得された機器状態情報に基づいて、前記指定された電気機器の機器状態が前記ユーザによる操作により変化したか否かを前記画面において明示する。
【手続補正２】
【補正対象書類名】特許請求の範囲
【補正対象項目名】全文
【補正方法】変更
【補正の内容】
【特許請求の範囲】
【請求項１】
電気機器を特定する識別子と電気機器が設置された位置であると想定される想定設置位置と電気機器の機器状態を示す機器状態情報とを含む電気機器毎の機器情報を記憶する制御装置から、前記機器情報を取得する取得手段と、
前記取得手段により取得された機器情報に基づいて、電気機器毎に識別子と想定設置位置と機器状態とを対応付けて画面に表示する表示手段と、を備え、
前記取得手段は、いずれかの電気機器がユーザにより操作された後に、前記ユーザにより指定された電気機器の機器状態情報を、前記制御装置から取得し、
前記表示手段は、前記取得手段により取得された機器状態情報に基づいて、前記指定された電気機器の機器状態が前記ユーザによる操作により変化したか否かを前記画面において明示する、
端末装置。
【請求項２】
前記ユーザによる操作の後、前記指定された電気機器の機器状態情報の取得指示を前記ユーザから受け付ける受付手段と、
前記受付手段により前記取得指示が受け付けられたことに応答して、前記指定された電気機器の機器状態情報の取得要求を、前記制御装置に送信する送信手段と、をさらに備え、
前記取得手段は、前記制御装置が前記取得要求に応答して前記指定された電気機器から収集した機器状態情報を、前記制御装置から取得し、
前記表示手段は、前記受付手段により前記取得指示が受け付けられる前後で、前記指定された電気機器の機器状態が変化したか否かを、前記画面における前記指定された電気機器の機器情報が表示される領域において明示する、
請求項１に記載の端末装置。
【請求項３】
前記ユーザによる操作の後、各電気機器の機器状態情報の取得指示を前記ユーザから受け付ける受付手段と、
前記受付手段により前記取得指示が受け付けられたことに応答して、各電気機器の機器状態情報の取得要求を、前記制御装置に送信する送信手段と、をさらに備え、
前記取得手段は、前記制御装置が前記取得要求に応答して各電気機器から収集した機器状態情報を、前記制御装置から取得し、
前記表示手段は、前記受付手段により前記取得指示が受け付けられる前後で機器状態が変化した電気機器の機器情報が表示される領域を、前記画面において明示する、
請求項１に記載の端末装置。
【請求項４】
前記取得手段は、前記制御装置が定期的に各電気機器から収集する機器状態情報を、前記制御装置から定期的に取得し、
前記表示手段は、前記取得手段により定期的に取得される機器状態情報により示される機器状態が変化した電気機器の機器情報が表示される領域を、前記画面において明示する、
請求項１に記載の端末装置。
【請求項５】
制御コマンドにより各電気機器を制御し、電気機器を特定する識別子と電気機器が設置された位置であると想定される想定設置位置と前記制御コマンドとを含む電気機器毎の機器情報を記憶する制御装置から、前記機器情報を取得する取得手段と、
前記取得手段により取得された機器情報に基づいて、電気機器毎に識別子と想定設置位置と確認指示ボタンとを対応付けて画面に表示する表示手段と、
前記表示手段により電気機器毎に前記画面に表示された確認指示ボタンに対する押圧操作を検知する検知手段と、
前記取得手段により取得された機器情報に基づいて、前記検知手段により押圧操作が検知された確認指示ボタンに対応付けて前記画面に表示された識別子により特定された電気機器に対する制御コマンドのうち、機器状態の変化が視覚的又は聴覚的に明確である制御コマンドを選択する選択手段と、
前記特定された電気機器に対する、前記選択手段により選択された制御コマンドの送信指示を、前記制御装置に送信する送信手段と、を備える、
端末装置。
【請求項６】
制御装置を介して端末装置により制御又は監視される電気機器を前記制御装置に登録する旨の登録指示を、前記電気機器から受信する受信手段と、
前記受信手段により前記登録指示が受信されたことに応答して、前記制御装置に対して前記電気機器を登録する登録手段と、
前記電気機器が設置された位置を示す設置位置情報を取得する取得手段と、
前記取得手段により取得された設置位置情報を記憶する記憶手段と、
前記登録手段により前記制御装置に対して前記電気機器が登録され、前記記憶手段に前記設置位置情報が記憶された後、前記電気機器から機器情報を受信し、又は、前記電気機器に制御コマンドを送信する通信手段と、を備える、
制御装置。
【請求項７】
端末装置と制御装置とを備える設置位置確認支援システムであって、
前記制御装置は、
電気機器を特定する識別子と電気機器が設置された位置であると想定される想定設置位置と電気機器の機器状態を示す機器状態情報とを含む電気機器毎の機器情報を記憶し、
前記端末装置は、
前記制御装置から、前記機器情報を取得する取得手段と、
前記取得手段により取得された機器情報に基づいて、電気機器毎に識別子と想定設置位置と機器状態とを対応付けて画面に表示する表示手段と、を備え、
前記取得手段は、いずれかの電気機器がユーザにより操作された後に、前記ユーザにより指定された電気機器の機器状態情報を、前記制御装置から取得し、
前記表示手段は、前記取得手段により取得された機器状態情報に基づいて、前記指定された電気機器の機器状態が前記ユーザによる操作により変化したか否かを前記画面において明示する、
設置位置確認支援システム。
【請求項８】
端末装置と制御装置とを備える設置位置確認支援システムであって、
前記制御装置は、
制御コマンドにより各電気機器を制御し、電気機器を特定する識別子と電気機器が設置された位置であると想定される想定設置位置と前記制御コマンドとを含む電気機器毎の機器情報を記憶し、
前記端末装置は、
前記制御装置から、前記機器情報を取得する取得手段と、
前記取得手段により取得された機器情報に基づいて、電気機器毎に識別子と想定設置位置と確認指示ボタンとを対応付けて画面に表示する表示手段と、
前記表示手段により電気機器毎に前記画面に表示された確認指示ボタンに対する押圧操作を検知する検知手段と、
前記取得手段により取得された機器情報に基づいて、前記検知手段により押圧操作が検知された確認指示ボタンに対応付けて前記画面に表示された識別子により特定された電気機器に対する制御コマンドのうち、機器状態の変化が視覚的又は聴覚的に明確である制御コマンドを選択する選択手段と、
前記特定された電気機器に対する、前記選択手段により選択された制御コマンドの送信指示を、前記制御装置に送信する送信手段と、を備える、
設置位置確認支援システム。
【請求項９】
端末装置と制御装置とを備える設置位置設定支援システムであって、
前記制御装置は、
前記制御装置を介して前記端末装置により制御又は監視される電気機器を前記制御装置に登録する旨の登録指示を、前記電気機器から受信する受信手段と、
前記受信手段により前記登録指示が受信されたことに応答して、前記制御装置に対して前記電気機器を登録する登録手段と、
前記電気機器が設置された位置を示す設置位置情報を取得する取得手段と、
前記取得手段により取得された設置位置情報を記憶する記憶手段と、
前記登録手段により前記制御装置に対して前記電気機器が登録され、前記記憶手段に前記設置位置情報が記憶された後、前記電気機器から機器情報を受信し、又は、前記電気機器に制御コマンドを送信する通信手段と、を備える、
設置位置設定支援システム。
【請求項１０】
電気機器を特定する識別子と電気機器が設置された位置であると想定される想定設置位置と電気機器の機器状態を示す機器状態情報とを含む電気機器毎の機器情報を記憶する制御装置から、前記機器情報を取得する取得ステップと、
前記取得ステップで取得された機器情報に基づいて、電気機器毎に識別子と想定設置位置と機器状態とを対応付けて画面に表示する表示ステップと、を備え、
前記取得ステップでは、いずれかの電気機器がユーザにより操作された後に、前記ユーザにより指定された電気機器の機器状態情報を、前記制御装置から取得し、
前記表示ステップでは、前記取得ステップで取得された機器状態情報に基づいて、前記指定された電気機器の機器状態が前記ユーザによる操作により変化したか否かを前記画面において明示する、
設置位置確認支援方法。
【請求項１１】
制御コマンドにより各電気機器を制御し、電気機器を特定する識別子と電気機器が設置された位置であると想定される想定設置位置と前記制御コマンドとを含む電気機器毎の機器情報を記憶する制御装置から、前記機器情報を取得する取得ステップと、
前記取得ステップで取得された機器情報に基づいて、電気機器毎に識別子と想定設置位置と確認指示ボタンとを対応付けて画面に表示する表示ステップと、
前記表示ステップで電気機器毎に前記画面に表示された確認指示ボタンに対する押圧操作を検知する検知ステップと、
前記取得ステップで取得された機器情報に基づいて、前記検知ステップで押圧操作が検知された確認指示ボタンに対応付けて前記画面に表示された識別子により特定された電気機器に対する制御コマンドのうち、機器状態の変化が視覚的又は聴覚的に明確である制御コマンドを選択する選択ステップと、
前記特定された電気機器に対する、前記選択ステップで選択された制御コマンドの送信指示を、前記制御装置に送信する送信ステップと、を備える、
設置位置確認支援方法。
【請求項１２】
制御装置を介して端末装置により制御又は監視される電気機器を前記制御装置に登録する旨の登録指示を、前記電気機器から受信する受信ステップと、
前記受信ステップで前記登録指示が受信されたことに応答して、前記制御装置に対して前記電気機器を登録する登録ステップと、
前記電気機器が設置された位置を示す設置位置情報を取得する取得ステップと、
前記取得ステップで取得された設置位置情報を記憶する記憶ステップと、
前記登録ステップで前記制御装置に対して前記電気機器が登録され、前記記憶ステップで前記設置位置情報が記憶された後、前記電気機器から機器情報を受信し、又は、前記電気機器に制御コマンドを送信する通信ステップと、を備える、
設置位置設定支援方法。
【請求項１３】
端末装置が備えるコンピュータを、
電気機器を特定する識別子と電気機器が設置された位置であると想定される想定設置位置と電気機器の機器状態を示す機器状態情報とを含む電気機器毎の機器情報を記憶する制御装置から、前記機器情報を取得する取得手段、
前記取得手段により取得された機器情報に基づいて、電気機器毎に識別子と想定設置位置と機器状態とを対応付けて画面に表示する表示手段、として機能させるプログラムであって、
前記取得手段は、いずれかの電気機器がユーザにより操作された後に、前記ユーザにより指定された電気機器の機器状態情報を、前記制御装置から取得し、
前記表示手段は、前記取得手段により取得された機器状態情報に基づいて、前記指定された電気機器の機器状態が前記ユーザによる操作により変化したか否かを前記画面において明示する、
プログラム。
【請求項１４】
端末装置が備えるコンピュータを、
制御コマンドにより各電気機器を制御し、電気機器を特定する識別子と電気機器が設置された位置であると想定される想定設置位置と前記制御コマンドとを含む電気機器毎の機器情報を記憶する制御装置から、前記機器情報を取得する取得手段、
前記取得手段により取得された機器情報に基づいて、電気機器毎に識別子と想定設置位置と確認指示ボタンとを対応付けて画面に表示する表示手段、
前記表示手段により電気機器毎に前記画面に表示された確認指示ボタンに対する押圧操作を検知する検知手段、
前記取得手段により取得された機器情報に基づいて、前記検知手段により押圧操作が検知された確認指示ボタンに対応付けて前記画面に表示された識別子により特定された電気機器に対する制御コマンドのうち、機器状態の変化が視覚的又は聴覚的に明確である制御コマンドを選択する選択手段、
前記特定された電気機器に対する、前記選択手段により選択された制御コマンドの送信指示を、前記制御装置に送信する送信手段、として機能させる、
プログラム。
【請求項１５】
制御装置が備えるコンピュータを、
前記制御装置を介して端末装置により制御又は監視される電気機器を前記制御装置に登録する旨の登録指示を、前記電気機器から受信する受信手段、
前記受信手段により前記登録指示が受信されたことに応答して、前記制御装置に対して前記電気機器を登録する登録手段、
前記電気機器が設置された位置を示す設置位置情報を取得する取得手段、
前記取得手段により取得された設置位置情報を記憶する記憶手段、
前記登録手段により前記制御装置に対して前記電気機器が登録され、前記記憶手段に前記設置位置情報が記憶された後、前記電気機器から機器情報を受信し、又は、前記電気機器に制御コマンドを送信する通信手段、として機能させる、
プログラム。
【国際調査報告】
2015071999.tif 000018
2015071999.tif 000019
2015071999.tif 000020
2015071999.tif 000021